(57)【要約】【課題】  都市ガスなどを輸送する地中埋設管１３，１８の土壌１７中の布設状況を、隠蔽場所の現場で、容易に、正確に把握すること。【解決手段】  ガスメータ８またはガスメータ８付近の管にタグ２を固定しておく。このタグ２は、地中埋設管１３，１８の位置を表す位置情報がストアされた不揮発性メモリ３８を含む非接触方式ＩＣタグであり、高周波電磁誘導によって、メモリ３８のストア内容が読出されてタグ用送受信アンテナ３４に送信される。この位置情報は、操作側送受信アンテナ４で受信され、表示手段の２次元表示画面２５，３１に、地中埋設管を示す平面図および斜視図で表示される。位置情報は、ガスメータ８の位置を起点Ｍとし、東西南北の方位ＮＳＥＷと、その方位に沿う管が延びる距離を表す数字とを含み、さらに土壌１７中の上下方向Ｕ，Ｄも含む。【選択図】      図１
2005140171.tif 000002
【特許請求の範囲】
【請求項１】
隠蔽長尺物に関連して設けられるタグであって、その長尺物の隠蔽場所における位置情報がストアされたメモリを有するタグと、
２次元表示画面を有する表示手段と、
メモリにストアされた位置情報を読出して、表示手段の表示画面に、隠蔽場所で延びている長尺物を示す図面を表示させる表示制御手段とを含むことを特徴とする隠蔽長尺物の表示装置。
【請求項２】
前記位置情報は、予め定める方向と、その方向に沿って長尺物が延びる距離とを含むことを特徴とする請求項１記載の隠蔽長尺物の表示装置。
【請求項３】
前記方向は、方位に対応した方向であることを特徴とする請求項２記載の隠蔽長尺物の表示装置。
【請求項４】
前記位置情報は、上下方向もさらに含むことを特徴とする請求項２または３記載の表示装置。
【請求項５】
メモリは、不揮発性メモリであり、
タグは、
タグ用送受信アンテナと、
メモリのストア内容を読出してタグ用送受信アンテナに送信するタグ用送信回路と、
タグ用送受信アンテナからの受信信号が与えられるタグ用受信回路と、
タグ用受信回路によって得られる電力を送信回路に与える電源回路とを含むことを特徴とする請求項１〜４のうちの１つに記載の隠蔽長尺物の表示装置。
【請求項６】
メモリは、ストア内容を書換え可能であり、
メモリにストアすべき位置情報を作成する位置情報作成手段と、
操作側送受信アンテナと、位置情報作成手段からの位置情報を、操作側送受信アンテナによって送信する送信回路とを含み、
タグ用受信回路は、受信された位置情報を、メモリにストアして書換える書換え回路を含むことを特徴とする請求項５記載の隠蔽長尺物の表示装置。
【請求項７】
表示手段は、長尺物を示す平面図および斜視図のいずれか一方を表示画面に表示することを特徴とする請求項１〜６のうちの１つに記載の隠蔽長尺物の表示装置。
【発明の詳細な説明】
【技術分野】
【０００１】
本発明は、地中または建物などの隠蔽場所に設けられた都市ガスまたは水道水などの流体を輸送する管、および電力線、電話線などの電線を含む隠蔽長尺物の布設されている状態を示す表示装置に関する。
【背景技術】
【０００２】
このような隠蔽長尺物の表示装置は、たとえば都市ガスを輸送する地中埋設管を、土壌の掘削によって露出し、修理する際に、必要になる。地中埋設管の布設状況は、たとえばガス工事会社などの会社に備えられた地図の図面に記載されて保管されているが、その布設状況の一部は記載されていないことがあり、そのため地中埋設管の修理のために土壌の無駄な掘削作業をせざるを得ない結果になる。またガス漏洩などの緊急事態が生じたときには、その漏洩場所で地中埋設管の布設状況を直ちに知りたいという要望があるにもかかわらず、そのような埋設状況を示す図面は、前述のようにガス工事会社に保管されており、その図面を入手するのに時間がかかり、その結果、緊急事態に対処できなくなる。
【０００３】
非接触方式ＩＣ（Integrated Circuit）タグを、無線ＬＡＮ（Local Area Network）、Bluetooth（エリクソン社商標）通信方式などと無線による接続をする先行技術は、特許文献１に開示されているが、隠蔽長尺物に関する記載は存在しない。
【０００４】
【特許文献１】特開２００３−１１０４５８
【発明の開示】
【発明が解決しようとする課題】
【０００５】
本発明の目的は、隠蔽場所に設けられた長尺物の布設状況を、その隠蔽場所の現場などで容易に把握することができるようにした隠蔽長尺物の表示装置を提供することである。
【課題を解決するための手段】
【０００６】
本発明は、隠蔽長尺物に関連して設けられるタグであって、その長尺物の隠蔽場所における位置情報がストアされたメモリを有するタグと、
２次元表示画面を有する表示手段と、
メモリにストアされた位置情報を読出して、表示手段の表示画面に、隠蔽場所で延びている長尺物を示す図面を表示させる表示制御手段とを含むことを特徴とする隠蔽長尺物の表示装置である。
【０００７】
また本発明は、前記位置情報は、予め定める方向と、その方向に沿って長尺物が延びる距離とを含むことを特徴とする。
【０００８】
また本発明は、前記方向は、方位に対応した方向であることを特徴とする。
また本発明は、前記位置情報は、上下方向もさらに含むことを特徴とする。
【０００９】
本発明に従えば、タグを隠蔽長尺物に関連して設け、たとえば都市ガスを輸送する地中埋設管の途中に介在されている地上に配置されたガスメータに接続された管の接続口付近に設けられ、このタグに備えられるメモリには、長尺物の隠蔽場所における位置を表す位置情報がストアされる。この位置情報によって、長尺物の隠蔽場所における布設状況を正確に知ることができる。メモリのストア内容を、表示制御手段によって読出し、たとえば液晶表示パネル、陰極線管または記録紙に印刷するプリンタなどの表示手段の２次元表示画面に表示する。これによって隠蔽場所における長尺物の布設状況を、容易に把握することができる。したがって長尺物の保守点検、およびそのほかの作業を容易に行うことができ、たとえば地中埋設管を露出するための土壌の掘削作業を正確に行うことができ、無駄な掘削作業を行う必要がなくなる。前記表示画面は、プリンタの記録紙も含む。
【００１０】
タグは、隠蔽長尺物に関連して設けられるので、前述の先行技術に関連して述べたようにガス工事会社に保管されている地図の図面を見る必要がなく、その長尺物が埋設などされている隠蔽場所の現場で、長尺物の布設状況を、容易に、短時間に把握することが可能になる。このタグは、非接触で電気信号の送受信が可能ないわゆる非接触方式ＩＣタグであってもよく、あるいはまた、たとえばＲＦＩＤタグ（Radio Frequency Identification
Tag）と称される構成を有してもよい。
【００１１】
位置情報は、メモリの記憶容量を低減するために、たとえばアルファベット、数字などの文字と、ハイフン、カンマ、小数点などの記号とを含むキャラクタが用いられることが好ましいが、本発明では、メモリの容量が許容される限り、隠蔽場所で延びている長尺物を示す図面の画像情報がストアされてもよい。
【００１２】
位置情報がたとえば前述のようにキャラクタによって表示される構成では、その表示情報は、予め定める方向と、その方向に沿って長尺物が延びる距離とを含んでもよく、さらにその方向は、東西南北などの方位に対応した方向であってもよく、さらに長尺物の上下方向も含まれてもよい。
【００１３】
また本発明は、メモリは、不揮発性メモリであり、
タグは、
タグ用送受信アンテナと、
メモリのストア内容を読出してタグ用送受信アンテナに送信するタグ用送信回路と、
タグ用送受信アンテナからの受信信号が与えられるタグ用受信回路と、
タグ用受信回路によって得られる電力を送信回路に与える電源回路とを含むことを特徴とする。
【００１４】
また本発明は、メモリは、ストア内容を書換え可能であり、
メモリにストアすべき位置情報を作成する位置情報作成手段と、
操作側送受信アンテナと、位置情報作成手段からの位置情報を、操作側送受信アンテナによって送信する送信回路とを含み、
タグ用受信回路は、受信された位置情報を、メモリにストアして書換える書換え回路を含むことを特徴とする。
【００１５】
本発明に従えば、電力が供給されなくても、ストア内容を記憶したままに保持することができる不揮発性メモリであり、不揮発性メモリは、たとえばＥＥＰＲＯＭ（Electronic
Erasable Programable Read Only Memory）であってもよく、あるいはまたＦＲＡＭ
（Flash Randam Access Memory）などによって実現されることができる。タグに備えられたタグ用送受信アンテナによって受信信号が受信されてタグ用受信回路に与えられ、これによって電源回路は直流などの電力を発生してタグ用送信回路に与え、これによってタグ用送信回路はメモリのストア内容である位置情報を読出して、タグ用送受信アンテナから位置情報を表す送信信号を発生する。
【００１６】
メモリは、ストア内容を書換え可能であることが好ましく、これによって現場で長尺物の布設された状況が変更された場合、その変更に応じた長尺物の布設状況を、位置情報作成手段によって作成し、送信回路から操作側送受信アンテナを経てタグ用送受信アンテナに与えて書換え回路を動作させ、位置情報をメモリに書換える。したがって長尺物の隠蔽場所における布設状況を、常に更新することが容易に可能である。
【００１７】
また本発明は、表示手段は、長尺物を示す平面図および斜視図のいずれか一方を表示画面に表示することを特徴とする。
【００１８】
本発明に従えば、長尺物の布設状況などを表示するために、平面図および斜視図の少なくともいずれか一方が、表示手段の２次元表示画面に表示される。これによって作業者は、隠蔽場所の現場で、長尺物の布設状況を、直感的に把握することができ、長尺物の保守点検修理などの各種の作業を容易に正確、迅速に行うことができるようになる。
【発明の効果】
【００１９】
本発明によれば、隠蔽場所に設けられた長尺物の状況を、その隠蔽場所の現場で容易に把握することが可能になる。これによって長尺物の保守点検、修理およびそのほかの各種の作業を、無駄なく容易に迅速に行うことができるようになる。
【発明を実施するための最良の形態】
【００２０】
図１は、本発明の実施の一形態の隠蔽長尺物の表示装置１の全体の電気的構成を示すブロック図である。この隠蔽長尺物の表示装置１は基本的に、タグ２と、装置本体３とを含む。装置本体３は、操作用送受信アンテナ４と、このアンテナ４に接続される操作装置５と、この操作装置５に接続されるマイクロコンピュータなどによって実現される処理回路６と、処理回路６に接続される表示手段７とを含む。表示手段７は、液晶表示パネル、陰極線管などの２次元表示画面を有する構成によって実現され、この表示手段７はまた、記録紙に２次元図面を印字して表示するプリンタなどによって実現されてもよい。
【００２１】
図２はタグ２が装着された都市ガス用ガスメータ８を示す断面図であり、図３はガスメータ８に関連する配管系統を示す断面図である。ガスメータ８は、都市ガスが供給される入口の接続口１１と、その流量が計測された都市ガスの出口である接続口１２とが設けられ、これらの接続口１１，１２には、立上がり管１３，１４がそれぞれ接続される。ガスメータ８は建物１５付近に設けられ、この建物１５の敷地内に管１３，１４が埋設されて布設される。本発明の実施の他の形態では、タグ２は、地表面１６よりも上方に露出した立上がり管１３の表面に参照符２ａで示されるように設けられてもよく、あるいはまた立上がり管１４に設けられてもよく、さらにこのガスメータ８の付近で建物１５などに設けられてもよい。管１４の土壌１７内の布設状況を把握するために使い勝手がよい場所に、このようにして管１３，１４に関連して設けられる。この管１３は、建物１５の敷地内で参照符１８で示されるように布設され、さらに官民境界１９を経て道路２１に埋設された本管２２に接続される。タグ２は、接着剤によって、または合成樹脂テープなどによって装着される。
【００２２】
図４は、表示手段７によって表示される表示画面２３を示す正面図である。図４（１）では、この表示画面２３には、タグ２にストアされる位置情報２４が表示され、また施工業者６５およびその施工業者が保守点検修理をする施工日６６も表示される。図４（２）の実施の形態は、図４（１）の実施の形態に類似するが、図４（１）の西へ０．３ｍを表す位置情報「Ｗ０．３」に代えて、図４（２）では、「Ｗ０．３ＳＧＰ２５Ａ」と表示される。すなわち図４（２）では、位置情報「Ｗ０．３」に、後述のように、管１３，１８の材質ＳＧＰおよび口径２５Ａの情報を表す「ＳＧＰ２５Ａ」も追加的に表示される。それ以後の位置情報「Ｓ０．５−Ｋ−Ｓ０．５−…」には、材質、口径の情報が省略され、こうして起点Ｍに続く最初の位置情報にのみ、材質、口径の情報が追加され、ストア容量の低減が図られている。
【００２３】
図５は、表示手段７の表示画面２５に表示される土壌１７に埋設された管１８の延びている布設状況を示す平面図である。図５（１）の表示画面２５には、東西南北を示す方位２６の方向が表示される。この方位２６は、表示画面２５では、上方を北として示している。表示画面２５の方位２６に対応して処理回路６では、起点であるガスメータ８の位置を原点２７とし、ＸＹＺ３次元座標系におけるＸ軸方向を東とし、Ｙ軸方向を北とし、Ｚ軸方向を鉛直上方とする座標系２８が設定される。この図５（１）は、前述の図４（１）に対応する。本発明の実施の他の形態では、図４（２）に対応して図５（２）のように位置情報の距離のほかに、材質、口径の情報も表示される。
【００２４】
図６は、表示手段７の３次元表示画面３１に表示される管１３などと地中に埋設された管１８の斜視図を示す正面図である。この図６（１）の表示画面３１には、方位３２が示される。この方位３２は、表示画面３１において右上３０度を北とする。この方位３２に対応して、処理回路６では、前述のＸＹＺ３次元座標系２８が設定される。図６（１）は、前述の図４（１）に対応する。図６（２）は、前述の図４（２）の実施例に対応し、この図６（２）では、位置情報の距離だけでなく、材質、口径の情報も表示される。
【００２５】
図７は、タグ２の電気的構成を示すブロック図である。このタグ２は、集積回路ＩＣから成る半導体チップ３３と、この半導体チップ３３に接続されるタグ用送受信アンテナ３４とを含む。
【００２６】
図８は、タグ２の平面図であり、図９は、タグ２の側面図である。タグ２は、その全体の形状が長方形などの矩形であって薄板状の基体３５を有し、この基体３５内に半導体チップ３３が埋め込まれ、またアンテナ３４がループ状に巻回されて埋め込まれて構成される。基体３５は、電気絶縁性合成樹脂などの材料から成ってもよい。タグ２は、たとえばマッチ棒状の棒状態であってもよく、または１円玉のような硬貨などの偏平な円盤状であってもよく、そのほかの形状を有しもよい。
【００２７】
図１０は、タグ２のタグ用送受信アンテナ３４と操作装置５の装置用送受信アンテナ４との送受信動作を説明するための簡略化した電気回路図である。操作用送受信アンテナ４から交番磁束３７が発生され、この磁束３７がタグ用送受信アンテナ３４を鎖交することによって、タグ用送受信アンテナ３４に交流信号が誘起され、この誘起された交流信号を復号化してデータを得ることができるとともに、半導体チップ３３の動作のための電力を得ることができる。
【００２８】
再び図７を参照して、半導体チップ３３は、メモリ３８を有する。メモリ３８には、起点となるガスメータ８の位置から、そのガスメータ８に接続された土壌１７に埋設された部分を含む管１３，１８の位置を表す位置情報がストアされる。このようなメモリ３８は、ＥＥＰＲＯＭおよびフラッシュＲＡＭなどによって実現され、ストア内容を保持するための電力を必要としない不揮発性メモリであることが好ましく、またストア内容を書換えることができ、また消去することができ、さらに新たな位置情報を書き加えることもできる。
【００２９】
半導体チップ３３はまた、タグ用受信回路４１を含む。タグ用受信回路４１には、アンテナ３４からの受信信号が与えらえる。電源回路４２は、タグ用受信回路４１によって得られた交流電力を、整流して直流電力を発生する。電源回路４２から得られる直流電力は、タグ用送信回路４３に与えられ、送信回路４３の動作が可能になる。こうしてタグ２は、電池を搭載する必要がなくなる。タグ用送信回路４３は、電力が与えられることによってメモリ３８のストア内容である位置情報を読出し、アンテナ３４に与え、そのストア内容を表す電気信号を送信する。
【００３０】
タグ２の半導体チップ３３に備えられるタグ用受信回路４１はまた、書換え回路４５を含む。この書換え回路４５は、タグ用送受信アンテナ３４によって受信された受信信号を復号化し、その受信信号に含まれるメモリ３８にストアすべき位置情報を得て、その復号化された位置情報を、メモリ３８にストアしてメモリ３８の内容を書換える。書換え回路４５はまた、メモリ３８に、位置情報を追加的に書き加える働きも果たし、さらにメモリ３８のストア内容を消去する働きも果たすことができる。
【００３１】
図１１は、装置本体３の全体の具体的な電気的構成を示すブロック図である。操作用送受信アンテナ４は、操作装置５の受信アンテナ５１に接続され、タグ用送信回路４３からのメモリ３８にストアされている位置情報を含む受信信号を復号化し、その位置情報を表す信号を、処理回路６に与える。操作装置５は、コネクタ５２によって処理回路６と着脱可能とされてもよく、これによって操作装置５は、作業者が携帯可能であり、片手で取扱うことができるように構成されてもよい。受信回路５１には、メモリ５３が接続され、受信回路５１によって受信した受信信号に含まれる位置情報を、メモリ５３にストアする。
【００３２】
操作装置５はまた、作業者が操作して位置情報を作成する位置情報作成手段である入力装置５４が備えられる。この入力装置５４によって得られる位置情報は、送信回路５５によって符号化され、操作用送受信アンテナ４を励振し、送信され、前述のようにタグ２のアンテナ３４によって受信される。こうして入力装置５４によって、タグ２のメモリ３８にストアすべき位置情報が作成される。
【００３３】
図１２は、操作装置５の正面図である。操作装置５に備えられる入力装置５４は、複数の押釦５６を備え、これによって位置情報を入力することができる。位置情報は、予め定める方向と、その方向に沿って管１３，１８が延びる距離とを含み、さらに上下方向も含む。前記方向は、東西南北の方位に対応した方向である。このような方向を示す値と、距離によって地点を示す値とによって、位置情報の図面データが構成され、各データの区切り目には、ハイフン「−」が用いられる。方向を示す値は、たとえば１ｍを単位とし、小数点１桁まで有効に表される。方向を示す値というのは、表１のように予め定める。
【００３４】
【表１】
2005140171.tif 000003
【００３５】
これによって方向を示す値は、たとえば表２のように表されて、位置情報が定められる。
【００３６】
【表２】
2005140171.tif 000004
【００３７】
上述の表２に示されるように、たとえば南へ１．０ｍ直線状に延びるという情報は、南を表すアルファベットのキャラクタである文字Ｓと、その距離１．０ｍを表す数値１．０とが、この順序で設定される。
位置情報を構成する地点を示す値は、表３のように設定される。
【００３８】
【表３】
2005140171.tif 000005
【００３９】
これによってたとえばメータ８の位置を起点とする場合、Ｍが用いられ、また官民境界１９の位置はアルファベットの文字Ｋで示され、表４のとおりとなる。
【００４０】
【表４】
2005140171.tif 000006
【００４１】
こうして位置情報は、その一例として、［メータ］から［南へ０．５ｍ］［下へ３．０ｍ］を、
…Ｍ−Ｓ０．５−Ｄ３．０
と表すことができ、また他の例として、［メータ］から［下へ１．５ｍ］［地面］［下へ０．５ｍ］［西へ１．０ｍ］［官民境界］［西へ０．５ｍ］［本管］を、
…Ｍ−Ｄ１．５−Ｇ−Ｄ０．５−Ｗ１．０−Ｋ−Ｗ０．５−Ｂ
と表すことができる。このような位置情報を、入力装置４の各押釦５６の順次的な操作によって入力することができる。
【００４２】
前述の表１および表２に示される位置情報にさらに追加的に、管１３，１８の材質、口径の情報も、メモリ３３にストアされる。すなわち管１３，１８の材質、たとえばガス配管用鋼管であるＳＧＰ、またはポリエチレン管であるＰＥと、管１３，１８の口径を表すたとえば２５Ａ、または５０Ａの情報が、メモリ３３にストアされ、位置情報と同様に現場で、読出すことができる。
【００４３】
タグ用送信回路４３および操作装置５の送信回路５５から送信される電磁波信号の周波数は、たとえば１２５〜１３５ｋＨｚであって、たとえば好ましくは１２５ｋＨｚであり、このような周波数帯域の電磁波は、メータ８、管１３，１８などを構成する金属によって反射せず、アンテナ３４，４による送受信が確実となり、また雨水などの液体による送受信の誤動作を生じにくいという利点があり、本発明では好ましい。
【００４４】
図１３は、装置本体３に備えられる処理回路６の動作を説明するためのフローチャートである。ステップｓ１からステップｓ２に移り、処理回路６は、コネクタ５２を介して操作装置５の受信回路５１からの復号化されたメモリ３３のストア内容である位置情報を受信する。この位置情報は、たとえば図４に示される参照符２４で示される内容である。
【００４５】
ステップｓ３では、この位置情報２４の最初の地点を示す値、たとえばメータ８であるＭを起点として設定し、このＭは、ガスメータ８を表す。ステップｓ４では、表５のように、起点である地点を示す値Ｍに後続する位置情報に基づき、地点番号１〜ｐ毎に、処理回路６において予め設定したＸＹ３次元直交座標系２８の座標値（ｘｉ，ｙｉ，ｚｉ）に、各方向を、地点を示す値を、変換する。
【００４６】
【表５】
2005140171.tif 000007
【００４７】
この３次元座標系２８は、前述の図５および図６に示されるように、北ＮをＹ軸方向に、南ＳをＹ軸の逆方向に、東ＥをＸ軸の方向に、西ＷをＸ軸の逆方向に設定し、さらに上ＵをＺ軸方向に、下ＤをＺ軸の逆方向に設定する。距離を表す数値は、２次元表示画面２５，３１における長さに、予め定める縮尺比で換算して設定される。
【００４８】
こうしてステップｓ５では、表示画面２５に、表示すべきＸＹ平面内における平面図を演算して作成する。ステップｓ６では、表示画面３１に表示すべきＸＹＺ３次元の斜視図を演算して作成する。こうして各地点を、ＸＹＺ３次元座標系における座標値を演算して求め、各座標値を直線で結び、前述の平面図および斜視図が得られる。
【００４９】
ステップｓ７では、前述のステップｓ５，６で得られた平面図および斜視図を、表示手段７の表示画面２５，３１に、前述の図５および図６に示されるように表示する。
【００５０】
図１４は、表示手段７の正面図である。表示手段７には、各２次元の表示画面２３，２５，３１が設けられ、さらに操作のための入力手段６１，６２などが設けられてもよい。
【００５１】
入力手段６２によって平面図および斜視図を選択し、表示画面３８に個別的に表示することもできる。入力手段６２のアイソメ図は、斜視図を表す。表示画面３８は、図１４の上下に隣接する表示画面２５，３１を含む単一の表示画面であり、平面図および斜視図をさらに拡大して示し、管１３，１８の布設状況をさらに正確に把握することが容易になる。
【００５２】
図１５は、本発明の実施の他の形態の位置情報を説明するための図である。前述の実施の形態では、方向は、４つの方位である東西南北が用いられたが、図１５に示される本発明の実施の他の形態では、たとえば時計の文字板のように、方位を複数の値、たとえば６０等分に分割し、北を００に対応させ、東を１５に対応させ、南を３０に対応させ、西を４５に対応させ、これらの４つの方位、東西南北の間をさらに複数、たとえば１５等分するようにしてもよい。こうして各方位を表すキャラクタとして、２桁の数字００〜５９で表すことによって、さらに正確な方位を特定するとともに、その２桁の数字を、前述の東西南北の方向に対応して位置情報として用いることができる。
【００５３】
位置情報のアルファベットおよび数字に代えて、平仮名、片仮名などの文字を用いてもよく、さらにそのほかの文字を用いてもよく、また記号などを用いるようにしてもよい。東西南北の方位に代えて、方位以外の予め定める方向を定めてもよい。また方向を示す値は、前述の実施の各形態では、直線状の距離で表されたが、予め定める湾曲した曲率半径に沿う距離を表すようにしてもよく、そのほか、各種の形態が、当業者によって実現される。
【図面の簡単な説明】
【００５４】
【図１】本発明の実施の一形態の隠蔽長尺物の表示装置１の全体の電気的構成を示すブロック図である。
【図２】タグ２が装着された都市ガス用ガスメータ８を示す断面図である。
【図３】ガスメータ８に関連する配管系統を示す断面図である。
【図４】表示手段７によって表示される表示画面２３を示す正面図である。
【図５】表示手段７の表示画面２５に表示される土壌１７に埋設された管１８の延びている布設状況を示す平面図である。
【図６】表示手段７の３次元表示画面３１に表示される地中に埋設された管１８の斜視図を示す正面図である。
【図７】タグ２の電気的構成を示すブロック図である。
【図８】タグ２の平面図である。
【図９】タグ２の側面図である。
【図１０】タグ２のタグ用送受信アンテナ３４と操作装置５の装置用送受信アンテナ４との送受信動作を説明するための簡略化した電気回路図である。
【図１１】装置本体３の全体の具体的な電気的構成を示すブロック図である。
【図１２】操作装置５の正面図である。
【図１３】装置本体３に備えられる処理回路６の動作を説明するためのフローチャートである。
【図１４】表示手段７の正面図である。
【図１５】本発明の実施の他の形態の位置情報を説明するための図である。
【符号の説明】
【００５５】
１  表示装置
２  タグ
３  装置本体
４  操作用送受信アンテナ
５  操作装置
６  処理回路
７  表示手段
８  ガスメータ
２３，２５，３１，５８  表示画面
２４  位置情報
２６  方位
２７  起点
２８  座標
３３  半導体チップ
３４  タグ用送受信アンテナ
３８  メモリ
４１  タグ用受信回路
４２  電源回路
４３  タグ用送信回路
４５  書換え回路
５１  受信回路
５４  入力装置
５５  送信回路
【図１】
2005140171.tif 000008
【図２】
2005140171.tif 000009
【図３】
2005140171.tif 000010
【図４】
2005140171.tif 000011
【図５】
2005140171.tif 000012
【図６】
2005140171.tif 000013
【図７】
2005140171.tif 000014
【図８】
2005140171.tif 000015
【図９】
2005140171.tif 000016
【図１０】
2005140171.tif 000017
【図１１】
2005140171.tif 000018
【図１２】
2005140171.tif 000019
【図１３】
2005140171.tif 000020
【図１４】
2005140171.tif 000021
【図１５】
2005140171.tif 000022